(57)【要約】      （修正有）【課題】サウナストーブの周囲への水の飛散を抑制しつつ、サウナストーブのサウナストーンに対してまんべんなく水を散布可能なサウナ装置を提供する。【解決手段】サウナストーブ１０と、サウナストーブ１０の上方に設置されてサウナストーブ１０に対して水を供給する散水部２１と、を備えたサウナ装置１において、散水部２１は、それぞれ排水口が設けられた複数の分岐管３１を有するウォーターガイドエレメント３０を備え、サウナ装置１を鉛直方向に見たときに、複数の分岐管３１のそれぞれの排水口は、サウナストーブ１０に重なる範囲内で異なる位置に位置する。【選択図】図１
0003222639.tif 000002
【実用新案登録請求の範囲】
【請求項１】
サウナストーブ（１０）と、
前記サウナストーブ（１０）の上方に設置されて前記サウナストーブ（１０）に対して水を供給する散水部（２１，５１，６１）と、を備えたサウナ装置（１，１Ａ，１Ｂ）であって、
前記散水部（２１，５１，６１）は、それぞれ排水口が設けられた複数の分岐管（３１，３１ａ）を有する前記ウォーターガイドエレメント（３０）を備え、
前記サウナ装置（１，１Ａ，１Ｂ）を鉛直方向に見たときに、前記複数の分岐管（３１，３１ａ）のそれぞれの前記排水口は、前記サウナストーブ（１０）に重なる範囲内で異なる位置に位置する、ことを特徴とするサウナ装置（１，１Ａ，１Ｂ）。
【請求項２】
前記ウォーターガイドエレメント（３０）は、前記複数の分岐管（３１，３１ａ）の上部が接続される接続部（３３）を備え、
前記接続部（３３）との接続部分における前記複数の分岐管（３１，３１ａ）の水平方向の分散範囲が、前記複数の分岐管（３１，３１ａ）の前記排水口の水平方向の分散範囲よりも狭いことを特徴とする請求項１に記載のサウナ装置。
【請求項３】
前記複数の分岐管（３１，３１ａ）のうちの少なくとも一部の分岐管の下端部は、鉛直方向に沿って配設されることを特徴とする請求項１又は２に記載のサウナ装置。
【請求項４】
前記複数の分岐管（３１，３１ａ）の少なくとも一部が、変形可能な材料からなることを特徴とする請求項１〜３のいずれか１項に記載のサウナ装置。
【考案の詳細な説明】
【技術分野】
【０００１】
本考案は、業務用サウナ室、家庭用サウナ、ホテルサウナ、フィットネスなどで用いられるサウナ装置に関する。
【背景技術】
【０００２】
サウナ浴は、熱気を直接体中に伝えて、血行促進、ストレスや疲労の回復、全身美容といった優れた効能と効果を発揮することができ、健康促進に広く用いられている。サウナ浴に用いられる従来のサウナ装置は、例えば特許文献１に見られるように、サウナストーブ本体内に設置した熱伝導管の上に多数のサウナストーンを積載して、熱伝導管によって加熱されたサウナストーンに柄杓等で水を掛けることによって、熱気を帯びた高温の蒸気を発生させるように構成されている。
【先行技術文献】
【特許文献】
【０００３】
【特許文献１】特開平１１−２２１２６５号公報
【考案の概要】
【考案が解決しようとする課題】
【０００４】
ここで、サウナストーンに対して集中した箇所に水をかけ続けると、その箇所のサウナストーンは次第に冷えて水が蒸散しなくなる。このような状態では、水は熱伝導管（ヒーターエレメント）に到達するため、その部分のヒーターエレメントが劣化して、耐久性が低下する。そのため、サウナストーブ内に充填されたサウナストーンに対してまんべんなく水を散布することが望ましい。
【０００５】
しかしながら、サウナストーンに水を掛ける作業は高温環境下での作業であり、発生した蒸気が作業者の上半身に降りかかることから、作業者は、不安定な態勢で水を掛けることになって、サウナストーブの周囲にまで水が飛散して周囲が水浸しになるおそれがある。
【０００６】
上記課題にかんがみて、本考案は、サウナストーブの周囲への水の飛散を抑制しつつ、サウナストーブに対してまんべんなく水を散布可能なサウナ装置を提供することを目的とする。
【課題を解決するための手段】
【０００７】
上記課題を解決するために、本考案によれば、サウナストーブと、サウナストーブの上方に設置されてサウナストーブに対して水を供給する散水部とを備えたサウナ装置であって、散水部は、それぞれ排水口が設けられた複数の分岐管を有するウォーターガイドエレメント、サウナ装置を鉛直方向に見たときに、複数の分岐管のそれぞれの排水口が、サウナストーブに重なる範囲内で異なる位置に配置されたサウナ装置が提供される。
【考案の効果】
【０００８】
本考案によれば、サウナストーブの周囲への水の飛散を抑制しつつ、サウナストーンに対してまんべんなく水を散布することができる。
【図面の簡単な説明】
【０００９】
【図１】実施形態のサウナ装置１を示す模式図である。
【図２】サウナストーブ１０の一例を示す斜視図である。
【図３】サウナストーブ１０の容器１１とヒーターエレメント１２とを分離した状態を示す斜視図である。
【図４】ウォーターガイドエレメント３０の構成例を示す平面図である。
【図５】ウォーターガイドエレメント３０を下方から見た説明図である。
【図６】ウォーターガイドエレメント３０の変形例を示す説明図である。
【図７】変形例のサウナ装置１Ａを示す模式図である。
【図８】別の変形例のサウナ装置１Ｂを示す模式図である。
【考案を実施するための形態】
【００１０】
以下、添付図面を参照しながら、本考案の好適な実施の形態について詳細に説明する。なお、本明細書及び図面において、実質的に同一の機能構成を有する構成要素については、同一の符号を付することにより重複説明を省略する。
【００１１】
図１は、本実施形態に係るサウナ装置１を示す模式図である。図２は、サウナストーブ１０の一例を示す斜視図である。図３は、サウナストーブ１０の容器１１とヒーターエレメント１２とを分離した状態を示す斜視図である。図４は、ウォーターガイドエレメント３０の構成例を示す平面図であり、図５は、ウォーターガイドエレメント３０を下方から見た説明図である。
【００１２】
図１に示すように、サウナ装置１は、サウナ室２０、サウナストーブ１０及び散水装置２１を備える。サウナストーブ１０は、サウナ室２０において、隔壁２２で仕切られた小室２３内に設置されている。散水装置２１は、サウナストーブ１０の上方に設置されている。本実施形態において、散水装置２１は、散水部に相当する。
【００１３】
＜サウナストーブ＞
図２及び図３に示すように、サウナストーブ１０は、容器１１、ヒーターエレメント１２及びサウナストーン１４を備える。ヒーターエレメント１２は、例えば電気式ヒーターエレメントであり、サウナストーン１４を加熱するために容器１１内に収納されている。サウナストーン１４は、ヒーターエレメント１２が収納された容器１１内の間隙に充填されている。ヒーターエレメント１２によって加熱されたサウナストーン１４に水滴を散布することによって、サウナ入浴に適した熱気を帯びた水蒸気が発生する。
【００１４】
容器１１の下部には、図示はしないが、ヒーターエレメント１２に通電するための電源コードや、ヒーターエレメント１２を保持するための保持ホルダーが設けられている。
なお、図３では、ヒーターエレメント１２は、充填されたサウナストーン１４で隠れた状態である。
【００１５】
ヒーターエレメント１２は、例えば、１ｋＷ（１本当たり）から５ｋＷ（１本当たり）程度の電気を導電性（例えば、ニクロム線）の発熱体に流し熱エネルギーに変換して、５００〜８００℃程度に昇温させて放散させる電気式の機構のものであってよい。ヒーターエレメント１２は、発熱体の保護のために、耐熱性の金属管で覆われていてもよい。耐熱性の金属管としては、例えば太いチューブ状のステンレス３０４やステンレス３１６などのニッケルクロム合金、チタン等が挙げられる。設置されるヒーターエレメント１２の数は特に限定されない。
【００１６】
ヒーターエレメント１２は、その外周にエレメントカバーが取り付けられていてもよい。ヒーターエレメント１２は高温に熱せられるうえに、水蒸気を発生させるために、容器１１中にあって多量の水滴を散布される腐食性雰囲気に置かれている。すなわち、ヒーターエレメント１２は、繰り返し加熱冷却され、高温の水蒸気雰囲気に晒されている。ヒーターエレメント１２が、その外周にエレメントカバーを備えることにより、腐食を抑制することができる。
【００１７】
エレメントカバーの材料としては、発熱体保護用の耐熱性の金属管と同じ材質、例えばステンレス３０４やステンレス３１６などのニッケルクロム合金、チタン等が挙げられる。また、エレメントカバーは、０．１〜２ｍｍ程度の板状のものがヒーターエレメント１２の外周の形状に沿って加工されて、ヒーターエレメント１２の外周に取り付けられていてもよい。あるいは、エレメントカバーは、ヒーターエレメント１２を被覆する蛇腹管の形状のものであってもよい。
【００１８】
サウナストーン１４としては、石やセラミックスが挙げられる。石としては、例えば香花石と呼ばれるものが使用される。香花石とは、マグマが氷河で冷やされ長期間かけて硬化した火成岩の一種で、代表的にはフィンランド産のものが例示される。香花石は、密度が高く変形しにくく、加熱冷却の繰り返しに強く、加熱されると遠赤外線を発生するという特質を有する。サウナストーン１４の大きさとしては、例えば５〜１０ｃｍ程度のものが用いられる。サウナストーン１４は、例えば１００〜４００ｋｇ容器１１に充填して使用される。
【００１９】
＜散水装置＞
本実施形態において、散水装置２１は、図示しないポンプ等の水供給装置により供給される水をサウナストーブ１０の上方から散水する。散水装置２１は、貯水部３７及びウォーターガイドエレメント３０を備える。貯水部３７には第１の水供給管４１が接続されている。また、貯水部３７とウォーターガイドエレメント３０とは第２の水供給管４３により接続されている。
【００２０】
貯水部３７には、第１の水供給管４１を介して図示しない水供給装置から水が供給される。第１の水供給管４１の途中には、水供給制御弁３９が設けられている。水供給制御弁３９が開かれたときに、貯水部３７に対して水が供給される。水供給制御弁３９は、手動式のものであってもよく、電気制御式のものであってもよい。また、貯水部３７は、内部に水を貯留可能な容器上の物であれば、材質や形状は特に限定されない。
【００２１】
ウォーターガイドエレメント３０には、第２の水供給管４３を介して貯水部３７から水が供給される。第２の水供給管４３の途中には、開閉弁３５が設けられている。貯水部３７に水が貯留されている状態で開閉弁３５が開かれたときに、ウォーターガイドエレメント３０に対して水が供給される開閉弁３５は、手動式のものであってもよく、電気制御式のものであってもよい。
【００２２】
ウォーターガイドエレメント３０は、接続部３３と、接続部３３に接続された複数の分岐管３１とを備える。ウォーターガイドエレメント３０に供給された水は、接続部３３を介して複数の分岐管３１に導かれ、それぞれの分岐管３１の下端に設けられた排水口から放出される。
【００２３】
図４は、接続部３３を水平方向に切断した状態でウォーターガイドエレメント３０を上方から見た平面図であり、図５は、ウォーターガイドエレメント３０を下方から見た説明図である。図４及び図５には、それぞれサウナ装置１すなわちウォーターガイドエレメント３０を鉛直方向に見たときのサウナストーブ１０の上面の外縁が二点鎖線で示されている。
【００２４】
接続部３３の底面には、それぞれ複数の分岐管３１ａが接続される開口部３３ａが設けられている。それぞれの開口部３３ａの配置位置は、特に限定されない。接続部３３に接続された複数の分岐管３１ａの少なくとも一部は、途中の位置で径方向外側に向けて屈曲あるいは湾曲している。すなわち、接続部３３との接続部分における複数の分岐管３１ａの水平方向の分散範囲が、排水口が設けられた複数の分岐管３１ａの下端部の水平方向の分散範囲よりも狭くなっている。
【００２５】
複数の分岐管３１ａと接続部３３との接続位置が広範囲に分散している場合には、供給される水の流量が少ない場合に、それぞれの分岐管３１ａに供給される水の量にばらつきが生じやすくなる。これに対して、複数の分岐管３１ａと接続部３３との接続位置が狭い範囲に分散している場合には、接続部３３に水を貯留させつつ複数の分岐管３１ａに水を供給することができ、接続部３３からそれぞれの分岐管３１ａに対して、均等に水を分配させることができる。
【００２６】
排水口が設けられた複数の分岐管３１ａの下端部は、いずれもサウナストーブ１０に重なる範囲内で異なる位置に位置している。本実施形態に係るサウナ装置１の例では、複数の分岐管３１ａの下端部は、サウナストーブ１０の上面の中央部に一つ、外縁部に４５度等間隔で八つ、中間部に９０度等間隔で四つ配置されている。複数の分岐管３１ａの下端部が、サウナストーブ１０に重なる範囲内で異なる位置に位置していることにより、サウナストーブ１０に供給される水を、サウナストーブ１０の周囲への飛散を抑制しつつ、サウナストーブ１０にまんべんなく散布することができる。
【００２７】
なお、複数の分岐管３１ａの下端部の位置、すなわち、排水口の位置は、サウナストーブ１０に水を散布可能な範囲内に適切に分散されていればよく、均等に分散されていなくてもよい。
【００２８】
また、複数の分岐管３１ａの下端部の位置は、自由に変更できるように構成されていてもよい。例えば、分岐管３１ａを、曲げ加工等の変形可能な材料を用いて構成することが好ましい。これにより、サウナストーブ１０に対する水の散布位置を容易に調節することができる。あるいは、大きさや形状、あるいは、散水装置２１からサウナストーブ１０の上面までの距離が異なるサウナストーブ１０に対しても共通のウォーターガイドエレメント３０を適用することができる。変形可能な材料からなる分岐管３１ａとしては、例えば、銅性のパイプを用いることができる。
【００２９】
また、分岐管３１ａの排水口から水が放出される際に、供給される水の流量によっては、サウナストーブ１０の周囲に水が飛散しやすくなることも考えられる。このため、少なくとも外周側に位置する分岐管３１ａについては、排水口が設けられる下端部を鉛直方向に沿って配設することが好ましい。
【００３０】
図６は、ウォーターガイドエレメント３０の変形例を示す側面図である。図６に示したウォーターガイドエレメント３０では、複数の分岐管３１それぞれの下端部が、鉛直方向に沿って配設されている。したがって、それぞれの分岐管３１から放出される水は、鉛直方向の下方に向かって飛び出すことになって、サウナストーブ１０の周囲に飛散するおそれを低減することができる。ここでいう鉛直方向とは、厳密に鉛直方向を向いているものに限定されることはなく、例えば、鉛直方向に対する傾きが５度以下となっているものも含む。
【００３１】
なお、図６に示した例では、すべての分岐管３１の下端部が鉛直方向に沿って配設されているが、例えば、外周側に位置する分岐管３１の下端部のみが鉛直方向に沿って配設されていてもよい。
【００３２】
図１は、サウナストーブ１０に対して上方から散水装置２１により水滴を散布して、サウナストーブ１０から高温の水蒸気を発生させている状態を示している。ヒーターエレメント１２により加熱されたサウナストーン１４に、上方の散水装置２１から水滴が散布されると、サウナストーブ１０からは高温の水蒸気が生成され、サウナ室２０に流入する。熱せられたサウナストーン１４によって生成された高温の水蒸気が、サウナ室２０をマイナスイオンで満たし、快適空間が形成される。さらに、人体の発汗が促され、人体を素早く暖めることができる。
【００３３】
このとき、散水装置２１は、それぞれ排水口が設けられた複数の分岐管３１ａを有するウォーターガイドエレメント３０を備え、サウナ装置１を鉛直方向に見たときに、複数の分岐管３１ａのそれぞれの排水口は、サウナストーブ１０に重なる範囲内で異なる位置に位置する。このため、サウナストーブ１０の周囲への水の飛散を抑制しつつ、サウナストーン１４に対してまんべんなく水を散布することができる。
【００３４】
＜変形例＞
図７は、本実施形態の変形例に係るサウナ装置１Ａを示す模式図である。図７には、サウナストーブ１０をサウナ室２０に設置して、手動（ひしゃく）で散水装置５１に水を供給して散布させ、水蒸気を発生させている状態が示されている。変形例に係るサウナ装置１Ａでは、手動（ひしゃく）で供給される水を受ける貯留部５７を備え、貯留部５７に対して水供給管５５を介してウォーターガイドエレメント３０が接続されている。ウォーターガイドエレメント３０の構成は、上記実施形態に係るウォーターガイドエレメント３０と同様とすることができる。
【００３５】
図７に示すように、ポンプ等の供給装置を用いる代わりに、手動で散水装置５１に水を供給することによって、ウォーターガイドエレメント３０を介してサウナストーブ１０にまんべんなく水滴を散布することもできる。
【００３６】
図８は、さらに別の変形例に係るサウナ装置１Ｂを示す模式図である。変形例に係るサウナ装置１Ｂは、上記実施形態に係るサウナ装置１における、貯水部３７を省略したものである。変形例に係るサウナ装置１Ｂでは、ウォーターガイドエレメント３０には、例えば水道管に接続された水供給管６３が接続されている。水供給管６３には、水供給制御弁６５が設けられており、ウォーターガイドエレメント３０への水の供給の可否、あるいは、供給される水の流量を調節可能になっている。水供給制御弁６５は、手動式のものであってもよく、電気制御式のものであってもよい。
【００３７】
図８に示すように、貯水部３７を設けない場合であっても、水供給制御弁６５によってウォーターガイドエレメント３０への水の供給を制御し、サウナストーブ１０に対してまんべんなく水滴を散布することもできる。
【００３８】
以上、添付図面を参照しながら本考案の好適な実施形態について詳細に説明したが、本考案はかかる例に限定されない。本考案の属する技術の分野における通常の知識を有する者であれば、実用新案登録請求の範囲に記載された技術的思想の範疇内において、各種の変更例または修正例に想到し得ることは明らかであり、これらについても、当然に本考案の技術的範囲に属するものと了解される。
【００３９】
例えば、上記実施形態では、サウナストーブを上方から見たときの平面形状が円形であり、当該円形のサウナストーブの範囲内にウォーターガイドエレメントの複数の分岐管の排水口が配置されていたが、本考案はかかる例に限定されない。サウナストーブを上方から見たときの平面形状は、正方形あるいは長方形等の矩形であってもよく、その他の適宜の形状であってもよい。
【符号の説明】
【００４０】
１    サウナ装置
１０  サウナストーブ
１１  容器
１２  ヒーターエレメント
１４  サウナストーン
２０  サウナ室
２１  散水装置
３０  ウォーターガイドエレメント
３１，３１ａ  分岐管
３３  接続部
【図１】
0003222639.tif 000003
【図２】
0003222639.tif 000004
【図３】
0003222639.tif 000005
【図４】
0003222639.tif 000006
【図５】
0003222639.tif 000007
【図６】
0003222639.tif 000008
【図７】
0003222639.tif 000009
【図８】
0003222639.tif 000010